(57)【要約】  本願の実施例は無線通信方法及び装置を提供し、端末装置が時間領域リソースユニット上でＳＲＳを伝送するためのリソース利用方式を柔軟に選択でき、それにより必要に応じて時間領域リソースユニットの機能を実現でき、従って合理的なＳＲＳ送信を実現して通信性能を向上させることができる。該方法は、端末装置がＳＲＳリソース上でのＳＲＳ伝送によって占用される少なくとも１つの時間領域リソースユニットを決定するステップと、前記端末装置が前記少なくとも１つの時間領域リソースユニット上でＳＲＳを伝送するためのリソース利用方式を決定するステップと、決定した前記リソース利用方式に基づき、前記端末装置が前記少なくとも１つの時間領域リソースユニット上でＳＲＳ伝送を行うステップと、を含む。
2020530672.tif 000002
【特許請求の範囲】
【請求項１】
無線通信方法であって、
端末装置がサウンディング参照信号（ＳＲＳ）リソース上でのＳＲＳ伝送によって占用される少なくとも１つの時間領域リソースユニットを決定するステップと、
前記端末装置が前記少なくとも１つの時間領域リソースユニット上でＳＲＳを伝送するためのリソース利用方式を決定するステップと、
決定した前記リソース利用方式に基づき、前記端末装置が前記少なくとも１つの時間領域リソースユニット上でＳＲＳ伝送を行うステップと、を含むことを特徴とする無線通信方法。
【請求項２】
前記リソース利用方式は、前記端末装置が前記少なくとも１つの時間領域リソースユニット上でＳＲＳ伝送を行う時、周波数領域リソース、送信アンテナ及び／又は送信ビームを利用する方式であることを特徴とする請求項１に記載の方法。
【請求項３】
前記周波数領域リソース、アンテナ及び／又は送信ビームを利用する方式は、
周波数領域リソース、送信アンテナ及び送信ビームのうちの少なくとも１つの前記少なくとも１つの時間領域リソースユニットでの切り替え方式を含むことを特徴とする請求項２に記載の方法。
【請求項４】
前記周波数領域リソース、アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示することを特徴とする請求項２に記載の方法。
【請求項５】
前記リソース利用方式は、
前記少なくとも１つの時間領域リソースユニット中で周波数領域リソースのリソース周波数ホッピングを行うこと、又は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することを含むことを特徴とする請求項１又は２に記載の方法。
【請求項６】
前記少なくとも１つの時間領域リソースユニット中で送信アンテナの切り替えを行うことは、
前記少なくとも１つの時間領域リソースユニット中で同一アンテナアレイブロック内の送信アンテナの切り替えを行うステップ、又は
前記少なくとも１つの時間領域リソースユニット中で異なるアンテナアレイブロック間の切り替えを行うステップを含むことを特徴とする請求項５に記載の方法。
【請求項７】
前記端末装置が前記少なくとも１つの時間領域リソースユニット中でＳＲＳを伝送するためのリソース利用方式を決定することは、
前記ＳＲＳリソースのパラメータ設定に基づき、前記端末装置が前記リソース利用方式を決定するステップを含むことを特徴とする請求項１〜６のいずれか一項に記載の方法。
【請求項８】
前記ＳＲＳリソースのパラメータ設定は前記少なくとも１つの時間領域リソースユニット上でＳＲＳを伝送するリソース利用方式に対する前記ネットワーク装置の設定を含み、
前記ＳＲＳリソースのパラメータ設定に基づき、前記端末装置が前記リソース利用方式を決定することは、
前記少なくとも１つの時間領域リソースユニット上でＳＲＳを伝送するリソース利用方式に対する前記ネットワーク装置の設定に基づき、前記端末装置が前記リソース利用方式を決定するステップを含むことを特徴とする請求項７に記載の方法。
【請求項９】
前記ＳＲＳリソースのパラメータ設定に基づき、前記端末装置が前記リソース利用方式を決定することは、
前記ＳＲＳリソースの伝送帯域幅、
前記ＳＲＳリソース上でＳＲＳ伝送を行うアンテナポート数、
前記ＳＲＳリソースによって占用される前記少なくとも１つの時間領域リソースユニットの数、
前記ＳＲＳリソース上でＳＲＳを伝送する連続方式、
前記ＳＲＳリソースのＳＲＳ周波数ホッピング設定、
前記ＳＲＳリソース上でのＳＲＳ伝送によって占用されるサブキャリア間隔、
前記ＳＲＳリソースのＳＲＳタイプのうちの少なくとも１種の設定に基づき、前記端末装置が前記リソース利用方式を決定するステップを含むことを特徴とする請求項７に記載の方法。
【請求項１０】
前記ＳＲＳリソース上でＳＲＳを伝送する連続方式は、
周期的伝送方式、準連続伝送方式又は非周期伝送方式を含むことを特徴とする請求項９に記載の方法。
【請求項１１】
前記ＳＲＳリソースのＳＲＳタイプは、
チャネル状態情報（ＣＳＩ）測定用のＳＲＳ、又は
ビーム管理用のＳＲＳであることを特徴とする請求項９又は１０に記載の方法。
【請求項１２】
前記ＳＲＳリソース上でＳＲＳ伝送を行うアンテナポート数が第１所定値未満である場合、決定された前記リソース利用方式は前記少なくとも１つの時間領域リソースユニット中で送信アンテナの切り替えを行うことであり、又は
前記ＳＲＳリソース上でＳＲＳ伝送を行うアンテナポート数が第２所定値以上である場合、決定された前記リソース利用方式は前記少なくとも１つの時間領域リソースユニット中で送信アンテナの切り替えを行わないことであることを特徴とする請求項９〜１１のいずれか一項に記載の方法。
【請求項１３】
前記ＳＲＳリソースのＳＲＳ周波数ホッピング設定の値が第１値である場合、決定された前記リソース利用方式は前記少なくとも１つの時間領域リソースユニット中で周波数領域リソースのリソース周波数ホッピングを行うことであり、又は
前記ＳＲＳリソースのＳＲＳ周波数ホッピング設定の値が前記第１値ではない場合、決定された前記リソース利用方式は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することであることを特徴とする請求項９〜１２のいずれか一項に記載の方法。
【請求項１４】
前記端末装置が前記少なくとも１つの時間領域リソースユニット上でＳＲＳ伝送を行った後、前記方法は、
前記端末装置が前記ネットワーク装置によって指示される前記少なくとも１つの時間領域リソースユニットのうちのターゲット時間領域リソースユニットを受信するステップをさらに含むことを特徴とする請求項１〜１３のいずれか一項に記載の方法。
【請求項１５】
前記時間領域リソースユニットは直交周波数分割多重（ＯＦＤＭ）シンボル、タイムスロット、ミニタイムスロット又はサブフレームであることを特徴とする請求項１〜１４のいずれか一項に記載の方法。
【請求項１６】
無線通信方法であって、
ネットワーク装置がサウンディング参照信号（ＳＲＳ）リソース上でＳＲＳ受信を行う少なくとも１つの時間領域リソースユニットを決定するステップと、
前記ネットワーク装置が前記端末装置が前記少なくとも１つの時間領域リソースユニット中でＳＲＳを伝送するためのリソース利用方式を決定するステップと、
決定した前記リソース利用方式に基づき、前記ネットワーク装置が前記端末装置から伝送されるＳＲＳを前記少なくとも１つの時間領域リソースユニット上で受信するステップと、を含むことを特徴とする無線通信方法。
【請求項１７】
前記リソース利用方式は、前記端末装置が前記少なくとも１つの時間領域リソースユニット上でＳＲＳ伝送を行う時、周波数領域リソース、送信アンテナ及び／又は送信ビームを利用する方式であることを特徴とする請求項１６に記載の方法。
【請求項１８】
前記周波数領域リソース、アンテナ及び／又は送信ビームを利用する方式は、
周波数領域リソース、送信アンテナ及び送信ビームのうちの少なくとも１つの前記少なくとも１つの時間領域リソースユニットでの切り替え方式を含むことを特徴とする請求項１７に記載の方法。
【請求項１９】
前記周波数領域リソース、アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示することを特徴とする請求項１７に記載の方法。
【請求項２０】
前記リソース利用方式は、
前記少なくとも１つの時間領域リソースユニット中で周波数領域リソースのリソース周波数ホッピングを行うこと、又は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することを含むことを特徴とする請求項１６又は１７に記載の方法。
【請求項２１】
前記少なくとも１つの時間領域リソースユニット中で送信アンテナの切り替えを行うことは、
前記少なくとも１つの時間領域リソースユニット中で同一アンテナアレイブロック内の送信アンテナの切り替えを行うステップ、又は
前記少なくとも１つの時間領域リソースユニット中で異なるアンテナアレイブロック間の切り替えを行うステップを含むことを特徴とする請求項２０に記載の方法。
【請求項２２】
前記ネットワーク装置が前記端末装置が前記少なくとも１つの時間領域リソースユニット中でＳＲＳを伝送するためのリソース利用方式を決定することは、
前記ＳＲＳリソースのパラメータ設定に基づき、前記ネットワーク装置が前記リソース利用方式を決定するステップを含むことを特徴とする請求項１６〜２１のいずれか一項に記載の方法。
【請求項２３】
前記ＳＲＳリソースのパラメータ設定は前記少なくとも１つの時間領域リソースユニット上でＳＲＳを伝送するリソース利用方式に対する前記ネットワーク装置の設定を含み、
前記ＳＲＳリソースのパラメータ設定に基づき、前記ネットワーク装置が前記リソース利用方式を決定することは、
前記少なくとも１つの時間領域リソースユニット上でＳＲＳを伝送するリソース利用方式に対する前記ネットワーク装置の設定に基づき、前記ネットワーク装置が前記リソース利用方式を決定するステップを含むことを特徴とする請求項２２に記載の方法。
【請求項２４】
前記ＳＲＳリソースのパラメータ設定に基づき、前記ネットワーク装置が前記リソース利用方式を決定することは、
前記ＳＲＳリソースの伝送帯域幅、
前記ＳＲＳリソース上でＳＲＳ伝送を行うアンテナポート数、
前記ＳＲＳリソースによって占用される前記少なくとも１つの時間領域リソースユニットの数、
前記ＳＲＳリソース上でＳＲＳを伝送する連続方式、
前記ＳＲＳリソースのＳＲＳ周波数ホッピング設定、
前記ＳＲＳリソース上でのＳＲＳ伝送によって占用されるサブキャリア間隔、
前記ＳＲＳリソースのＳＲＳタイプのうちの少なくとも１種の設定に基づき、前記ネットワーク装置が前記リソース利用方式を決定するステップを含むことを特徴とする請求項２２に記載の方法。
【請求項２５】
前記ＳＲＳリソース上でＳＲＳを伝送する連続方式は、
周期的伝送方式、準連続伝送方式又は非周期伝送方式を含むことを特徴とする請求項２４に記載の方法。
【請求項２６】
前記ネットワーク装置が前記端末装置から伝送されるＳＲＳを前記少なくとも１つの時間領域リソースユニット上で受信した後、前記方法は、
ＳＲＳの受信結果に基づき、前記ネットワーク装置が前記端末装置に前記少なくとも１つの時間領域リソースユニットのうちのターゲット時間領域リソースユニットを指示するステップをさらに含むことを特徴とする請求項１６〜２５のいずれか一項に記載の方法。
【請求項２７】
前記時間領域リソースユニットは直交周波数分割多重（ＯＦＤＭ）シンボル、タイムスロット、ミニタイムスロット又はサブフレームであることを特徴とする請求項１６〜２６のいずれか一項に記載の方法。
【請求項２８】
端末装置であって、処理ユニット及び通信ユニットを備え、
前記処理ユニットは、サウンディング参照信号（ＳＲＳ）リソース上でのＳＲＳ伝送によって占用される少なくとも１つの時間領域リソースユニットを決定し、前記少なくとも１つの時間領域リソースユニット上でＳＲＳを伝送するためのリソース利用方式を決定することに用いられ、
前記通信ユニットは、前記処理ユニットによって決定された前記リソース利用方式に基づき、前記少なくとも１つの時間領域リソースユニット上でＳＲＳ伝送を行うことに用いられることを特徴とする端末装置。
【請求項２９】
前記リソース利用方式は、前記端末装置が前記少なくとも１つの時間領域リソースユニット上でＳＲＳ伝送を行う時、周波数領域リソース、送信アンテナ及び／又は送信ビームを利用する方式であることを特徴とする請求項２８に記載の端末装置。
【請求項３０】
前記周波数領域リソース、アンテナ及び／又は送信ビームを利用する方式は、
周波数領域リソース、送信アンテナ及び送信ビームのうちの少なくとも１つの前記少なくとも１つの時間領域リソースユニットでの切り替え方式を含むことを特徴とする請求項２９に記載の端末装置。
【請求項３１】
前記周波数領域リソース、アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示することを特徴とする請求項２９に記載の端末装置。
【請求項３２】
前記リソース利用方式は、
前記少なくとも１つの時間領域リソースユニット中で周波数領域リソースのリソース周波数ホッピングを行うこと、又は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することを含むことを特徴とする請求項２８又は２９に記載の端末装置。
【請求項３３】
前記少なくとも１つの時間領域リソースユニット中で送信アンテナの切り替えを行うことは、
前記少なくとも１つの時間領域リソースユニット中で同一アンテナアレイブロック内の送信アンテナの切り替えを行うステップ、又は
前記少なくとも１つの時間領域リソースユニット中で異なるアンテナアレイブロック間の切り替えを行うステップを含むことを特徴とする請求項３２に記載の端末装置。
【請求項３４】
前記処理ユニットは更に、
前記ＳＲＳリソースのパラメータ設定に基づき、前記リソース利用方式を決定することに用いられることを特徴とする請求項２８〜３３のいずれか一項に記載の端末装置。
【請求項３５】
前記ＳＲＳリソースのパラメータ設定は前記少なくとも１つの時間領域リソースユニット上でＳＲＳを伝送するリソース利用方式に対する前記ネットワーク装置の設定を含み、
前記処理ユニットは更に、
前記少なくとも１つの時間領域リソースユニット上でＳＲＳを伝送するリソース利用方式に対する前記ネットワーク装置の設定に基づき、前記リソース利用方式を決定することに用いられることを特徴とする請求項３４に記載の端末装置。
【請求項３６】
前記処理ユニットは更に、
前記ＳＲＳリソースの伝送帯域幅、
前記ＳＲＳリソース上でＳＲＳ伝送を行うアンテナポート数、
前記ＳＲＳリソースによって占用される前記少なくとも１つの時間領域リソースユニットの数、
前記ＳＲＳリソース上でＳＲＳを伝送する連続方式、
前記ＳＲＳリソースのＳＲＳ周波数ホッピング設定、
前記ＳＲＳリソース上でのＳＲＳ伝送によって占用されるサブキャリア間隔、
前記ＳＲＳリソースのＳＲＳタイプのうちの少なくとも１種の設定に基づき、前記リソース利用方式を決定することに用いられることを特徴とする請求項３４に記載の端末装置。
【請求項３７】
前記ＳＲＳリソース上でＳＲＳを伝送する連続方式は、
周期的伝送方式、準連続伝送方式又は非周期伝送方式を含むことを特徴とする請求項３６に記載の端末装置。
【請求項３８】
前記ＳＲＳリソースのＳＲＳタイプは、
チャネル状態情報（ＣＳＩ）測定用のＳＲＳ、又は
ビーム管理用のＳＲＳであることを特徴とする請求項３６又は３７に記載の端末装置。
【請求項３９】
前記ＳＲＳリソース上でＳＲＳ伝送を行うアンテナポート数が第１所定値未満である場合、決定された前記リソース利用方式は前記少なくとも１つの時間領域リソースユニット中で送信アンテナの切り替えを行うことであり、又は
前記ＳＲＳリソース上でＳＲＳ伝送を行うアンテナポート数が第２所定値以上である場合、決定された前記リソース利用方式は前記少なくとも１つの時間領域リソースユニット中で送信アンテナの切り替えを行わないことであることを特徴とする請求項３６〜３８のいずれか一項に記載の端末装置。
【請求項４０】
前記ＳＲＳリソースのＳＲＳ周波数ホッピング設定の値が第１値である場合、決定された前記リソース利用方式は前記少なくとも１つの時間領域リソースユニット中で周波数領域リソースのリソース周波数ホッピングを行うことであり、又は
前記ＳＲＳリソースのＳＲＳ周波数ホッピング設定の値が前記第１値ではない場合、決定された前記リソース利用方式は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することであることを特徴とする請求項３６〜３９のいずれか一項に記載の端末装置。
【請求項４１】
前記通信ユニットは、前記ネットワーク装置によって指示される前記少なくとも１つの時間領域リソースユニットのうちのターゲット時間領域リソースユニットを受信することに用いられることを特徴とする請求項２８〜４０のいずれか一項に記載の端末装置。
【請求項４２】
前記時間領域リソースユニットは直交周波数分割多重（ＯＦＤＭ）シンボル、タイムスロット、ミニタイムスロット又はサブフレームであることを特徴とする請求項２８〜４１のいずれか一項に記載の端末装置。
【請求項４３】
ネットワーク装置であって、処理ユニット及び通信ユニットを備え、
前記処理ユニットは、サウンディング参照信号（ＳＲＳ）リソース上でＳＲＳ受信を行う少なくとも１つの時間領域リソースユニットを決定し、前記端末装置が前記少なくとも１つの時間領域リソースユニット中でＳＲＳを伝送するためのリソース利用方式を決定することに用いられ、
前記通信ユニットは、前記処理ユニットによって決定された前記リソース利用方式に基づき、前記端末装置から伝送されるＳＲＳを前記少なくとも１つの時間領域リソースユニット上で受信することに用いられることを特徴とするネットワーク装置。
【請求項４４】
前記リソース利用方式は、前記端末装置が前記少なくとも１つの時間領域リソースユニット上でＳＲＳ伝送を行う時、周波数領域リソース、送信アンテナ及び／又は送信ビームを利用する方式であることを特徴とする請求項４３に記載のネットワーク装置。
【請求項４５】
前記周波数領域リソース、アンテナ及び／又は送信ビームを利用する方式は、
周波数領域リソース、送信アンテナ及び送信ビームのうちの少なくとも１つの前記少なくとも１つの時間領域リソースユニットでの切り替え方式を含むことを特徴とする請求項４４に記載のネットワーク装置。
【請求項４６】
前記周波数領域リソース、アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示することを特徴とする請求項４４に記載のネットワーク装置。
【請求項４７】
前記リソース利用方式は、
前記少なくとも１つの時間領域リソースユニット中で周波数領域リソースのリソース周波数ホッピングを行うこと、又は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することを含むことを特徴とする請求項４３又は４４に記載のネットワーク装置。
【請求項４８】
前記少なくとも１つの時間領域リソースユニット中で送信アンテナの切り替えを行うことは、
前記少なくとも１つの時間領域リソースユニット中で同一アンテナアレイブロック内の送信アンテナの切り替えを行うステップ、又は
前記少なくとも１つの時間領域リソースユニット中で異なるアンテナアレイブロック間の切り替えを行うステップを含むことを特徴とする請求項４７に記載のネットワーク装置。
【請求項４９】
前記処理ユニットは更に、
前記ＳＲＳリソースのパラメータ設定に基づき、前記リソース利用方式を決定することに用いられることを特徴とする請求項４３〜４８のいずれか一項に記載のネットワーク装置。
【請求項５０】
前記ＳＲＳリソースのパラメータ設定は前記少なくとも１つの時間領域リソースユニット上でＳＲＳを伝送するリソース利用方式に対する前記ネットワーク装置の設定を含み、
前記処理ユニットは更に、
前記少なくとも１つの時間領域リソースユニット上でＳＲＳを伝送するリソース利用方式に対する前記ネットワーク装置の設定に基づき、前記リソース利用方式を決定することに用いられることを特徴とする請求項４９に記載のネットワーク装置。
【請求項５１】
前記処理ユニットは更に、
前記ＳＲＳリソースの伝送帯域幅、
前記ＳＲＳリソース上でＳＲＳ伝送を行うアンテナポート数、
前記ＳＲＳリソースによって占用される前記少なくとも１つの時間領域リソースユニットの数、
前記ＳＲＳリソース上でＳＲＳを伝送する連続方式、
前記ＳＲＳリソースのＳＲＳ周波数ホッピング設定、
前記ＳＲＳリソース上でのＳＲＳ伝送によって占用されるサブキャリア間隔、
前記ＳＲＳリソースのＳＲＳタイプのうちの少なくとも１種の設定に基づき、前記リソース利用方式を決定することに用いられることを特徴とする請求項４９に記載のネットワーク装置。
【請求項５２】
前記ＳＲＳリソース上でＳＲＳを伝送する連続方式は、
周期的伝送方式、準連続伝送方式又は非周期伝送方式を含むことを特徴とする請求項５１に記載のネットワーク装置。
【請求項５３】
前記ＳＲＳリソースのＳＲＳタイプは、
チャネル状態情報（ＣＳＩ）測定用のＳＲＳ、又は
ビーム管理用のＳＲＳであることを特徴とする請求項５１又は５２に記載のネットワーク装置。
【請求項５４】
前記通信ユニットは更に、
ＳＲＳの受信結果に基づき、前記端末装置に前記少なくとも１つの時間領域リソースユニットのうちのターゲット時間領域リソースユニットを指示することに用いられることを特徴とする請求項４３〜５３のいずれか一項に記載のネットワーク装置。
【請求項５５】
前記時間領域リソースユニットは直交周波数分割多重（ＯＦＤＭ）シンボル、タイムスロット、ミニタイムスロット又はサブフレームであることを特徴とする請求項４３〜５４のいずれか一項に記載のネットワーク装置。
【発明の詳細な説明】
【技術分野】
【０００１】
本願は通信分野に関し、より具体的には、無線通信方法及び装置に関する。
【背景技術】
【０００２】
無線通信システムにおいて、端末装置はサウンディング参照信号（Ｓｏｕｎｄｉｎｇ  Ｒｅｆｅｒｅｎｃｅ  Ｓｉｇｎａｌ、ＳＲＳ）リソースによってＳＲＳを送信することができる。
【０００３】
ネットワーク装置は端末から送信されたＳＲＳに基づき、例えば、チャネル状態情報（Ｃｈａｎｎｅｌ  Ｓｔａｔｅ  Ｉｎｆｏｒｍａｔｉｏｎ、ＣＳＩ）の測定やビーム管理等を行うことができる。
【０００４】
将来の無線通信システムにおいて、通信シーンが多様になり、如何に合理的なＳＲＳ送信を実現して通信性能を向上させるかは解決を急ぐ問題となる。
【発明の概要】
【発明が解決しようとする課題】
【０００５】
本願の実施例は無線通信方法及び装置を提供し、端末装置が時間領域リソースユニット上でＳＲＳを伝送するためのリソース利用方式を柔軟に選択でき、それにより必要に応じて時間領域リソースユニットの機能を実現でき、従って合理的なＳＲＳ送信を実現して通信性能を向上させることができる。
【課題を解決するための手段】
【０００６】
第１態様によれば、無線通信方法を提供し、該方法は、端末装置がＳＲＳリソース上でのＳＲＳ伝送によって占用される少なくとも１つの時間領域リソースユニットを決定するステップと、前記端末装置が前記少なくとも１つの時間領域リソースユニット上でＳＲＳを伝送するためのリソース利用方式を決定するステップと、決定した前記リソース利用方式に基づき、前記端末装置が前記少なくとも１つの時間領域リソースユニット上でＳＲＳ伝送を行うステップと、を含む。
【０００７】
第１態様を参照して、第１態様の1つ可能な実施形態では、前記リソース利用方式は、前記端末装置が前記少なくとも１つの時間領域リソースユニット上でＳＲＳ伝送を行う時、周波数領域リソース、送信アンテナ及び／又は送信ビームを利用する方式である。
【０００８】
第１態様又は上記いずれかの可能な実施形態を参照して、第１態様の別の可能な実施形態では、前記周波数領域リソース、アンテナ及び／又は送信ビームを利用する方式は、周波数領域リソース、送信アンテナ及び送信ビームのうちの少なくとも１つの、前記少なくとも１つの時間領域リソースユニットでの切り替え方式を含む。
【０００９】
第１態様又は上記いずれかの可能な実施形態を参照して、第１態様の別の可能な実施形態では、前記周波数領域リソース、アンテナ及び／又は送信ビームを利用する方式は、周波数領域リソース、送信アンテナ及び送信ビームのうちの少なくとも１つが前記少なくとも１つの時間領域リソースユニット上で切り替えるか否かを指示する。
【００１０】
第１態様又は上記いずれかの可能な実施形態を参照して、第１態様の別の可能な実施形態では、前記リソース利用方式は、前記少なくとも１つの時間領域リソースユニット中で周波数領域リソースのリソース周波数ホッピングを行うこと、又は、前記少なくとも１つの時間領域リソースユニット中で送信アンテナの切り替えを行うこと、又は、前記少なくとも１つの時間領域リソースユニット中で送信ビームの切り替えを行うこと、又は、前記少なくとも１つの時間領域リソースユニット中で同一ビーム及び同一周波数領域リソースを用いて伝送することを含む。
【００１１】
第１態様又は上記いずれかの可能な実施形態を参照して、第１態様の別の可能な実施形態では、前記少なくとも１つの時間領域リソースユニット中で送信アンテナの切り替えを行うことは、前記少なくとも１つの時間領域リソースユニット中で同一アンテナアレイブロック内の送信アンテナの切り替えを行うステップ、又は前記少なくとも１つの時間領域リソースユニット中で異なるアンテナアレイブロック間の切り替えを行うステップを含む。
【００１２】
第１態様又は上記いずれかの可能な実施形態を参照して、第１態様の別の可能な実施形態では、前記端末装置が前記少なくとも１つの時間領域リソースユニット中でＳＲＳを伝送するためのリソース利用方式を決定することは、前記ＳＲＳリソースのパラメータ設定に基づき、前記端末装置が前記リソース利用方式を決定するステップを含む。
【００１３】
第１態様又は上記いずれかの可能な実施形態を参照して、第１態様の別の可能な実施形態では、前記ＳＲＳリソースのパラメータ設定は前記少なくとも１つの時間領域リソースユニット上でＳＲＳを伝送するリソース利用方式に対する前記ネットワーク装置の設定を含み、前記ＳＲＳリソースのパラメータ設定に基づき、前記端末装置が前記リソース利用方式を決定することは、前記少なくとも１つの時間領域リソースユニット上でＳＲＳを伝送するリソース利用方式に対する前記ネットワーク装置の設定に基づき、前記端末装置が前記リソース利用方式を決定するステップを含む。
【００１４】
第１態様又は上記いずれかの可能な実施形態を参照して、第１態様の別の可能な実施形態では、前記ＳＲＳリソースのパラメータ設定に基づき、前記端末装置が前記リソース利用方式を決定することは、
前記ＳＲＳリソースの伝送帯域幅、
前記ＳＲＳリソース上でＳＲＳ伝送を行うアンテナポート数、
前記ＳＲＳリソースによって占用される前記少なくとも１つの時間領域リソースユニットの数、
前記ＳＲＳリソース上でＳＲＳを伝送する連続方式、
前記ＳＲＳリソースのＳＲＳ周波数ホッピング設定、
前記ＳＲＳリソース上でのＳＲＳ伝送によって占用されるサブキャリア間隔、及び
前記ＳＲＳリソースのＳＲＳタイプのうちの少なくとも１種の設定に基づき、前記端末装置が前記リソース利用方式を決定するステップを含む。
【００１５】
第１態様又は上記いずれかの可能な実施形態を参照して、第１態様の別の可能な実施形態では、前記ＳＲＳリソース上でＳＲＳを伝送する連続方式は、周期的伝送方式、準連続伝送方式又は非周期伝送方式を含む。
【００１６】
第１態様又は上記いずれかの可能な実施形態を参照して、第１態様の別の可能な実施形態では、前記ＳＲＳリソースのＳＲＳタイプは、チャネル状態情報（ＣＳＩ）測定用のＳＲＳ、又はビーム管理用のＳＲＳである。
【００１７】
第１態様又は上記いずれかの可能な実施形態を参照して、第１態様の別の可能な実施形態では、前記ＳＲＳリソース上でＳＲＳ伝送を行うアンテナポート数が第１所定値未満である場合、決定された前記リソース利用方式は前記少なくとも１つの時間領域リソースユニット中で送信アンテナの切り替えを行うことであり、又は、前記ＳＲＳリソース上でＳＲＳ伝送を行うアンテナポート数が第２所定値以上である場合、決定された前記リソース利用方式は前記少なくとも１つの時間領域リソースユニット中で送信アンテナの切り替えを行わないことである。
【００１８】
第１態様又は上記いずれかの可能な実施形態を参照して、第１態様の別の可能な実施形態では、前記ＳＲＳリソースのＳＲＳ周波数ホッピング設定の値が第１値である場合、決定された前記リソース利用方式は前記少なくとも１つの時間領域リソースユニット中で周波数領域リソースのリソース周波数ホッピングを行うことであり、又は
前記ＳＲＳリソースのＳＲＳ周波数ホッピング設定の値が前記第１値ではない場合、決定された前記リソース利用方式は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することである。
【００１９】
第１態様又は上記いずれかの可能な実施形態を参照して、第１態様の別の可能な実施形態では、前記端末装置が前記少なくとも１つの時間領域リソースユニット上でＳＲＳ伝送を行った後、前記方法は、
前記端末装置が、前記ネットワーク装置によって指示される前記少なくとも１つの時間領域リソースユニットのうちのターゲット時間領域リソースユニットを受信するステップをさらに含む。
【００２０】
第１態様又は上記いずれかの可能な実施形態において、第１態様の別の可能な実施形態では、前記時間領域リソースユニットはＯＦＤＭシンボル、タイムスロット、ミニタイムスロット又はサブフレームである。
【００２１】
第２態様によれば、無線通信方法を提供し、該方法は、ネットワーク装置がサウンディング参照信号（ＳＲＳ）リソース上でＳＲＳ受信を行う少なくとも１つの時間領域リソースユニットを決定するステップと、前記ネットワーク装置が前記端末装置が前記少なくとも１つの時間領域リソースユニット中でＳＲＳを伝送するためのリソース利用方式を決定するステップと、決定した前記リソース利用方式に基づき、前記ネットワーク装置が前記端末装置から伝送されるＳＲＳを前記少なくとも１つの時間領域リソースユニット上で受信するステップと、を含む。
【００２２】
第２態様を参照して、第２態様の１つ可能な実施形態では、前記リソース利用方式は、前記端末装置が前記少なくとも１つの時間領域リソースユニット上でＳＲＳ伝送を行う時、周波数領域リソース、送信アンテナ及び／又は送信ビームを利用する方式である。
【００２３】
第２態様又は上記いずれかの可能な実施形態を参照して、第２態様の別の可能な実施形態では、前記周波数領域リソース、アンテナ及び／又は送信ビームを利用する方式は、
周波数領域リソース、送信アンテナ及び送信ビームのうちの少なくとも１つの前記少なくとも１つの時間領域リソースユニットでの切り替え方式を含む。
【００２４】
第２態様又は上記いずれかの可能な実施形態を参照して、第２態様の別の可能な実施形態では、前記周波数領域リソース、アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示する。
【００２５】
第２態様又は上記いずれかの可能な実施形態を参照して、第２態様の別の可能な実施形態では、前記リソース利用方式は、
前記少なくとも１つの時間領域リソースユニット中で周波数領域リソースのリソース周波数ホッピングを行うこと、又は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することを含む。
【００２６】
第２態様又は上記いずれかの可能な実施形態を参照して、第２態様の別の可能な実施形態では、前記少なくとも１つの時間領域リソースユニット中で送信アンテナの切り替えを行うことは、
前記少なくとも１つの時間領域リソースユニット中で同一アンテナアレイブロック内の送信アンテナの切り替えを行うステップ、又は
前記少なくとも１つの時間領域リソースユニット中で異なるアンテナアレイブロック間の切り替えを行うステップを含む。
【００２７】
第２態様又は上記いずれかの可能な実施形態にを参照して、第２態様の別の可能な実施形態では、前記ネットワーク装置が前記端末装置が前記少なくとも１つの時間領域リソースユニット中でＳＲＳを伝送するためのリソース利用方式を決定することは、
前記ＳＲＳリソースのパラメータ設定に基づき、前記ネットワーク装置が前記リソース利用方式を決定するステップを含む。
【００２８】
第２態様又は上記いずれかの可能な実施形態を参照して、第２態様の別の可能な実施形態では、前記ＳＲＳリソースのパラメータ設定は前記少なくとも１つの時間領域リソースユニット上でＳＲＳを伝送するリソース利用方式に対する前記ネットワーク装置の設定を含み、
前記ＳＲＳリソースのパラメータ設定に基づき、前記ネットワーク装置が前記リソース利用方式を決定することは、
前記少なくとも１つの時間領域リソースユニット上でＳＲＳを伝送するリソース利用方式に対する前記ネットワーク装置の設定に基づき、前記ネットワーク装置が前記リソース利用方式を決定するステップを含む。
【００２９】
第２態様又は上記いずれかの可能な実施形態を参照して、第２態様の別の可能な実施形態では、前記ＳＲＳリソースのパラメータ設定に基づき、前記ネットワーク装置が前記リソース利用方式を決定することは、
前記ＳＲＳリソースの伝送帯域幅、
前記ＳＲＳリソース上でＳＲＳ伝送を行うアンテナポート数、
前記ＳＲＳリソースによって占用される前記少なくとも１つの時間領域リソースユニットの数、
前記ＳＲＳリソース上でＳＲＳを伝送する連続方式、
前記ＳＲＳリソースのＳＲＳ周波数ホッピング設定、
前記ＳＲＳリソース上でのＳＲＳ伝送によって占用されるサブキャリア間隔、及び
前記ＳＲＳリソースのＳＲＳタイプのうちの少なくとも１種の設定に基づき、前記ネットワーク装置が前記リソース利用方式を決定するステップを含む。
【００３０】
第２態様又は上記いずれかの可能な実施形態を参照して、第２態様の別の可能な実施形態では、前記ＳＲＳリソース上でＳＲＳを伝送する連続方式は、
周期的伝送方式、準連続伝送方式又は非周期伝送方式を含む。
【００３１】
第２態様又は上記いずれかの可能な実施形態を参照して、第２態様の別の可能な実施形態では、前記ＳＲＳリソースのＳＲＳタイプは、
チャネル状態情報（ＣＳＩ）測定用のＳＲＳ、又は
ビーム管理用のＳＲＳである。
【００３２】
第２態様又は上記いずれかの可能な実施形態を参照して、第２態様の別の可能な実施形態では、前記ＳＲＳリソース上でＳＲＳ伝送を行うアンテナポート数が第１所定値未満である場合、決定された前記リソース利用方式は前記少なくとも１つの時間領域リソースユニット中で送信アンテナの切り替えを行うことであり、又は
前記ＳＲＳリソース上でＳＲＳ伝送を行うアンテナポート数が第２所定値以上である場合、決定された前記リソース利用方式は前記少なくとも１つの時間領域リソースユニット中で送信アンテナの切り替えを行わないことである。
【００３３】
第２態様又は上記いずれかの可能な実施形態を参照して、第２態様の別の可能な実施形態では、前記ＳＲＳリソースのＳＲＳ周波数ホッピング設定の値が第１値である場合、決定された前記リソース利用方式は前記少なくとも１つの時間領域リソースユニット中で周波数領域リソースのリソース周波数ホッピングを行うことであり、又は
前記ＳＲＳリソースのＳＲＳ周波数ホッピング設定の値が前記第１値ではない場合、決定された前記リソース利用方式は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することである。
【００３４】
第２態様又は上記いずれかの可能な実施形態を参照して、第２態様の別の可能な実施形態では、前記ネットワーク装置が前記端末装置から伝送されるＳＲＳを前記少なくとも１つの時間領域リソースユニット上で受信した後、前記方法は、
ＳＲＳの受信結果に基づき、前記ネットワーク装置が前記端末装置に前記少なくとも１つの時間領域リソースユニットのうちのターゲット時間領域リソースユニットを指示するステップをさらに含む。
【００３５】
第２態様又は上記いずれかの可能な実施形態を参照して、第２態様の別の可能な実施形態では、前記時間領域リソースユニットはＯＦＤＭシンボル、タイムスロット、ミニタイムスロット又はサブフレームである。
【００３６】
第３態様によれば、端末装置を提供し、該端末装置は、上記第１態様又は第１態様の可能な実施形態のいずれかにおける方法を実行することに用いられる。具体的には、前記端末装置は、上記第１態様又は第１態様の可能な実施形態のいずれかにおける方法を実行するための機能モジュールを備える。
【００３７】
第４態様によれば、ネットワーク装置を提供し、該ネットワーク装置は、上記第２態様又は第２態様の可能な実施形態のいずれかにおける方法を実行することに用いられる。具体的には、前記ネットワーク装置は上記第２態様又は第２態様の可能な実施形態のいずれかにおける方法を実行するための機能モジュールを備える。
【００３８】
第５態様によれば、端末装置を提供し、該端末装置は、プロセッサ、メモリ及び送受信機を備える。前記プロセッサ、前記メモリ及び前記送受信機は内部接続通路を介して相互に通信し、制御及び／又はデータ信号を伝送し、それにより前記端末装置は上記第１態様又は第１態様の可能な実施形態のいずれかにおける方法を実行する。
【００３９】
第６態様によれば、ネットワーク装置を提供し、該ネットワーク装置は、プロセッサ、メモリ及び送受信機を備える。前記プロセッサ、前記メモリ及び前記送受信機は内部接続通路を介して相互に通信し、制御及び／又はデータ信号を伝送し、それにより前記ネットワーク装置は上記第２態様又は第２態様の可能な実施形態のいずれかにおける方法を実行する。
【００４０】
第７態様によれば、コンピュータ可読媒体を提供し、該コンピュータ可読媒体は、コンピュータプログラムを記憶することに用いられ、前記コンピュータプログラムは、上記方法のいずれか又は可能な実施形態のいずれかを実行するための命令を含む。
【００４１】
第８態様によれば、命令を含むコンピュータプログラム製品を提供し、該コンピュータプログラム製品がコンピュータにより実行されると、コンピュータに上記方法のいずれか又は可能な実施形態のいずれかにおける方法を実行させる。
【発明の効果】
【００４２】
従って、本願の実施例では、端末装置がＳＲＳリソース上でのＳＲＳ伝送によって占用される少なくとも１つの時間領域リソースユニットを決定し、端末装置が少なくとも１つの時間領域リソースユニット上でＳＲＳを伝送するためのリソース利用方式を決定し、決定したリソース利用方式に基づき、前記端末装置が少なくとも１つの時間領域リソースユニット上でＳＲＳ伝送を行い、それにより端末装置は時間領域リソースユニット上でＳＲＳを伝送するためのリソース利用方式を柔軟に選択でき、それにより必要に応じて時間領域リソースユニットの機能を実現でき、従って合理的なＳＲＳ送信を実現して通信性能を向上させることができる。
【図面の簡単な説明】
【００４３】
本願の実施例の技術案をより明確に説明するために、以下、実施例又は従来技術の説明に必要な図面を簡単に説明し、明らかなように、以下説明する図面は単に本願のいくつかの実施例に過ぎず、当業者であれば、創造的な努力をせずに、これらの図面に基づきほかの図面を想到し得る。
【００４４】
【図１】図１は本願の実施例に係る無線通信システムの概略図である。
【図２】図２は本願の実施例に係る無線通信方法の概略フローチャートである。
【図３】図３は本願の実施例に係る無線通信方法の概略フローチャートである。
【図４】図４は本願の実施例に係る端末装置の概略ブロック図である。
【図５】図５は本願の実施例に係るネットワーク装置の概略ブロック図である。
【図６】図６は本願の実施例に係るシステムチップの概略ブロック図である。
【図７】図７は本願の実施例に係る通信装置の概略ブロック図である。
【発明を実施するための形態】
【００４５】
以下、本願の実施例の図面を参照しながら本願の実施例の技術案を説明し、明らかなように、説明される実施例は本願の一部の実施例であり、すべての実施例ではない。本願の実施例に基づき、当業者が創造的な努力をせずに想到し得るほかの実施例はすべて本願の保護範囲に属する。
【００４６】
本願の実施例に係る技術案は、例えば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム（新無線とも称される（Ｎｅｗ  Ｒａｄｉｏ、ＮＲ））システム等の各種の通信システムに適用できる。
【００４７】
図１は本願の実施例に応用される無線通信システム１００を示す。該無線通信システム１００はネットワーク装置１１０を備えてもよい。ネットワーク装置１００は端末装置と通信する装置であってもよい。ネットワーク装置１００は特定の地理的エリアに通信カバレッジを提供し、且つ該カバレッジエリア内に位置する端末装置（例えば、ＵＥ）と通信可能である。選択肢として、該ネットワーク装置１００は、ＧＳＭシステム又はＣＤＭＡシステム中の基地局（Ｂａｓｅ  Ｔｒａｎｓｃｅｉｖｅｒ  Ｓｔａｔｉｏｎ、ＢＴＳ）であってもよく、ＷＣＤＭＡシステム中の基地局（ＮｏｄｅＢ、ＮＢ）であってもよく、ＬＴＥシステム中の発展型基地局（Ｅｖｏｌｕｔｉｏｎａｌ  Ｎｏｄｅ  Ｂ、ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）中の無線コントローラであってもよく、又は該ネットワーク装置は中継局、アクセスポイント、車載装置、ウェアラブル装置、将来の５Ｇネットワーク中のネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）中のネットワーク装置等であってもよい。
【００４８】
該無線通信システム１００は、ネットワーク装置１１０のカバレッジエリア内に位置する少なくとも１つの端末装置１２０をさらに備える。端末装置１２０は移動型又は固定型である。選択肢として、端末装置１２０はアクセス端末、ユーザー装置（Ｕｓｅｒ  Ｅｑｕｉｐｍｅｎｔ、ＵＥ）、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続されるほかの処理装置、車載装置、ウェアラブル装置、将来の５Ｇネットワーク中の端末装置又は将来の発展型ＰＬＭＮ中の端末装置等であってもよい。
【００４９】
選択肢として、端末装置１２０同士間はデバイスツーデバイス（Ｄｅｖｉｃｅ  ｔｏ  Ｄｅｖｉｃｅ、Ｄ２Ｄ）通信を行ってもよい。
【００５０】
選択肢として、５Ｇシステム又はネットワークは新無線（Ｎｅｗ  Ｒａｄｉｏ、ＮＲ）システム又はネットワークと称されてもよい。
【００５１】
図１は１つのネットワーク装置及び２つの端末装置を例示しているが、選択肢として、該無線通信システム１００は複数のネットワーク装置を備えてもよく、且つ各ネットワーク装置のカバレッジエリア内にほかの数量の端末装置が含まれてもよく、本願の実施例では、それを限定しない。
【００５２】
選択肢として、該無線通信システム１００はさらにネットワークコントローラ、モバイル管理エンティティ等のほかのネットワークエンティティを備えてもよく、本願の実施例では、それを限定しない。
【００５３】
理解すべきなのは、本明細書では、用語「システム」及び「ネットワーク」は本明細書において常に互いに置換可能に使用される。本明細書では、用語「及び／又は」は単に関連対象の関連関係を説明するものであり、３種の関係が存在することを示し、例えば、Ａ及び／又はＢの場合、Ａのみが存在すること、ＡとＢが同時に存在すること、及びＢのみが存在することを示す。また、本明細書では、文字「／」は、一般には、前後の関連対象間が「又は」の関係を有することを示す。
【００５４】
図２は本願の実施例に係る無線通信方法２００の概略フローチャートである。選択肢として、該方法２００は図１に示されるシステムに適用できるが、それには限定されない。該方法２００は以下の内容の少なくとも一部を含む。
【００５５】
２１０では、端末装置はＳＲＳリソース上でのＳＲＳ伝送によって占用される少なくとも１つの時間領域リソースユニットを決定する。
【００５６】
選択肢として、本願の実施例では、ＳＲＳリソースはＳＲＳを伝送することに使用できるリソースである。ＳＲＳ伝送を行う該少なくとも１つの時間領域リソースユニットは１つのＳＲＳリソースに属してもよい。該１つのＳＲＳリソースはＳＲＳ伝送に使用できる複数のＳＲＳリソースのうちのいずれか１つのＳＲＳリソースである。該複数のＳＲＳリソースのうちの各ＳＲＳリソースはほかのＳＲＳリソースに比べて、少なくとも１つのパラメータ設定が独立し、該少なくとも１つのパラメータ設定は、ＳＲＳ送信によって占用される時間領域リソース、ＳＲＳ送信によって占用される周波数領域リソース、ＳＲＳ送信用のＳＲＳシーケンス、ネットワーク装置から送信されたトリガーシグナリングを受信した後のＳＲＳ送信の回数等のうちの少なくとも１つを含む。ネットワーク側は独立するシグナリングを用いて各ＳＲＳリソースに設定パラメータを割り当てるようにしてもよい。
【００５７】
選択肢として、本願の実施例において言及された時間領域リソースユニットは直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル、タイムスロット、ミニタイムスロット又はサブフレームであってもよい。
【００５８】
選択肢として、該時間領域リソースユニットがＯＦＤＭシンボルである場合、該ＯＦＤＭシンボルの長さは該ＳＲＳリソース上でＳＲＳを送信するためのサブキャリア間隔に応じて決定されてもよく、該ＯＦＤＭシンボルが位置するタイムスロットのタイムスロット長さを決定するサブキャリア間隔に応じて決定されてもよく、該ＯＦＤＭシンボルが位置するタイムスロット中でデータを伝送するサブキャリア間隔に応じて決定されてもよい。
【００５９】
選択肢として、端末装置によって決定された時間領域リソースユニットが複数である場合、該複数の時間領域リソースユニットは連続する時間領域リソースユニットである。
【００６０】
選択肢として、該時間領域リソースユニットがＯＦＤＭシンボルである場合、端末装置によって決定された該少なくとも１つの時間領域リソースユニットはタイムスロットの最後の少なくとも１つのＯＦＤＭシンボルであってもよい。
【００６１】
選択肢として、端末装置はネットワーク装置の設定に応じて、該少なくとも１つの時間領域リソースユニットを決定してもよい。
【００６２】
例えば、ネットワーク装置はタイムスロット中の最後のいくつかのＯＦＤＭシンボルをＳＲＳ伝送に使用するように設定してもよく、そうすると、端末装置は該ネットワーク装置の設定に応じて、該最後のいくつかのＯＦＤＭシンボルを決定してＳＲＳを伝送することができる。
【００６３】
選択肢として、端末装置は現在の通信ニーズに応じて、該少なくとも１つの時間領域リソースユニットを決定してもよい。
【００６４】
例えば、現在のＳＲＳ送信が送信ビームの管理に用いられる場合、送信ビームの数と同じ数の時間領域リソースユニットを選択してもよい。
【００６５】
例えば、現在のＳＲＳ送信が複数のアンテナのアップリンクチャネル情報を取得することに用いられる場合、送信アンテナと同じ数の時間領域リソースユニットを選択してもよい。
２２０では、端末装置は、少なくとも１つの時間領域リソースユニット上でＳＲＳを伝送するためのリソース利用方式を決定する。
【００６６】
選択肢として、ＳＲＳを伝送するためのリソース利用方式は非時間領域リソースに対するリソースの利用方式であってもよく、例えば、該リソース利用方式は端末装置が少なくとも１つの時間領域リソースユニット上でＳＲＳ伝送を行う時に周波数領域リソース、送信アンテナ及び／又は送信ビームを利用する方式である。
【００６７】
理解すべきなのは、該リソース利用方式は周波数領域リソース、送信アンテナ及び送信ビームを除くほかのリソースの利用方式であってもよく、例えば、コードドメインリソースの利用方式であってもよく、本願の実施例では、特にそれを限定しない。
【００６８】
選択肢として、周波数領域リソース、アンテナ及び／又は送信ビームを利用する方式は、
周波数領域リソース、送信アンテナ及び送信ビームのうちの少なくとも１つの少なくとも１つの時間領域リソースユニット中での切り替え方式を含む。
【００６９】
具体的には、該切り替え方式は周波数領域リソース、送信アンテナ及び送信ビームのうちの少なくとも１つの中の切り替えを必要とする対象、及び／又は切り替え対象を如何に該少なくとも１つの時間領域リソースユニット中で切り替えるかを示す。
【００７０】
決定された時間領域リソースユニットが１つである場合、該切り替え方式は周波数領域リソース、送信アンテナ及び送信ビームのうちの少なくとも１つの中の切り替えを必要とする対象、及び／又は切り替え対象を如何に該１つの時間領域リソースユニット内の複数のより細かい粒度のリソース間で切り替えるかを示すようにしてもよい。
【００７１】
例えば、該時間領域リソースユニットはサブフレームであり、切り替え方式は周波数領域リソース、送信アンテナ及び送信ビームのうちの少なくとも１つを該サブフレーム内の複数のタイムスロット間で如何に切り替えるかの方式を示す。
【００７２】
或いは、決定された時間領域リソースユニットが複数である場合、該切り替え方式は、周波数領域リソース、送信アンテナ及び送信ビームのうちの少なくとも１つの中の切り替えを必要とする対象、及び／又は切り替え対象を該複数の時間領域リソースユニット間で如何に切り替えるかの方式、及び／又はある時間領域リソースユニット内で複数のより細かい粒度のリソース間で切り替えを行う方式を示してもよい。
【００７３】
例えば、該複数の時間領域リソースユニットは複数のサブフレームであり、該切り替え方式は周波数領域リソース、送信アンテナ及び／又は送信ビームをあるサブフレーム内の複数のタイムスロット間で切り替える方式を示し、又は周波数領域リソース、送信アンテナ及び／又は送信ビームを複数のサブフレーム間で切り替える方式を示してもよい。
【００７４】
ここで、周波数領域リソース、送信アンテナ及び送信ビームのうちの少なくとも１つを少なくとも１つの時間領域リソースユニット中で切り替えることは、周波数領域リソース、送信アンテナ及び送信ビームのうちの少なくとも１つが該少なくとも１つの時間領域リソースユニット上で常時同じということではないことを意味する。
【００７５】
具体的には、端末装置によって決定された時間領域リソースユニットが１つの時間領域リソースユニットを含む場合、周波数領域リソース、送信アンテナ及び送信ビームのうちの少なくとも１つは該時間領域リソースユニット内のより細かい粒度の複数の時間領域リソースのうちの少なくとも一部の時間領域リソース間で異なる。
【００７６】
例えば、該１つの時間領域リソースユニットが１つのサブフレームである場合、周波数領域リソース、送信アンテナ及び送信ビームのうちの少なくとも１つは該サブフレーム内の複数のタイムスロット中の少なくとも一部の時間領域リソース間で異なる。
【００７７】
又は、端末装置によって決定された時間領域リソースユニットが複数の時間領域リソースユニットを含む場合、周波数領域リソース、送信アンテナ及び送信ビームのうちの少なくとも１つはある時間領域リソースユニットの複数のより細かい粒度の時間領域リソース間で常時同じということではなく（すなわち、複数の時間領域リソースのうちの少なくとも一部の時間領域リソース間で異なる）、又は、周波数領域リソース、送信アンテナ及び送信ビームのうちの少なくとも１つは該複数の時間領域リソースユニット間で常時同じということではない（すなわち、複数の時間領域リソースユニットのうちの少なくとも一部の時間領域リソースユニット間で異なる）。
【００７８】
例えば、該複数の時間領域リソースユニットが複数のサブフレームである場合、周波数領域リソース、送信アンテナ及び送信ビームのうちの少なくとも１つは該複数のサブフレーム間で常時同じということではなく、又は、周波数領域リソース、送信アンテナ及び送信ビームのうちの少なくとも１つは該複数のサブフレームのうちのあるサブフレームの複数のタイムスロット間で常時同じということではない。
【００７９】
選択肢として、周波数領域リソース、アンテナ及び／又は送信ビームを利用する方式は、
周波数領域リソース、送信アンテナ及び送信ビームのうちの少なくとも１つを少なくとも１つの時間領域リソースユニット上で切り替えるか否かを指示する。
【００８０】
例えば、該方式はそれぞれ周波数領域リソース、送信アンテナ及び送信ビームを少なくとも１つの時間領域リソースユニット上で切り替えるか否かを指示する。
【００８１】
選択肢として、本願の実施例では、端末装置によって決定されるリソース利用方式は、方式１）、方式２）、方式３）又は方式４）を含む。
【００８２】
方式１）では、少なくとも１つの時間領域リソースユニット中で周波数領域リソースのリソース周波数ホッピングを行う。
【００８３】
例えば、端末装置は異なる時間領域リソースユニット上で異なる周波数領域リソースを用いてＳＲＳを伝送し、異なる時間領域リソースユニット上でＳＲＳを伝送するための周波数領域リソース同士間は取り決められた周波数領域周波数ホッピングパターンを採用し、例えば、時間領域リソースユニットの数及び／又はネットワーク側の設定に応じて周波数ホッピングパターンを決定する。
【００８４】
方式２）では、少なくとも１つの時間領域リソースユニット中で送信アンテナの切り替えを行う。
【００８５】
方式２）の少なくとも１つの時間領域リソースユニット中で送信アンテナの切り替えを行うことは、方式２−１）及び方式２−２）を含む。
【００８６】
方式２−１）では、少なくとも１つの時間領域リソースユニット中で同一アンテナアレイブロック内の送信アンテナの切り替えを行い、又は、
例えば、端末装置は異なる時間領域リソースユニット中で同一アンテナアレイ中の異なる物理アンテナを用いてＳＲＳを伝送し、異なる時間領域リソースユニット上でＳＲＳを伝送するための物理アンテナのインデックスは取り決められた数式に基づいて得られ、一般には、アンテナポーリングの方式を採用する。例えば、時間領域リソースユニットのインデックスに基づき現在のＳＲＳ伝送用の物理アンテナを決定する。実現過程では、端末の無線周波数の制限によって、アップリンク無線周波数の数は物理アンテナの数よりも少ない可能性があり、ネットワーク装置が各物理アンテナに対応するチャネルを取得できるために、端末装置は交替で送信する方式によって各物理アンテナ上でＳＲＳを送信してもよい。
【００８７】
方式２−２）では、少なくとも１つの時間領域リソースユニット中で異なるアンテナアレイブロック間の切り替えを行う。
【００８８】
例えば、端末装置は異なる時間領域リソースユニット中で異なるアンテナアレイブロックを用いてＳＲＳを伝送し、異なる時間領域リソースユニット上でＳＲＳを伝送するアンテナアレイブロックは端末装置自身によって決定されてもよく、ネットワーク側によって設定されてもよい。ネットワーク装置は複数の時間領域リソースユニット上で送信されたＳＲＳを受信した後、受信品質が最も高いＳＲＳ信号が位置する時間領域リソースユニットのインデックスを端末装置に通知してもよく、それにより端末装置は後に対応するアンテナアレイブロックを採用してほかの信号を伝送できる。具体的に実現する時は、端末装置が異なるアンテナアレイブロックを用いてＳＲＳ信号を送信することは、端末装置が仮に異なる時間領域リソースユニット上で伝送するＳＲＳ間で少なくとも空間パラメータにおいて準コロケーションではないというように具現化される。
【００８９】
理解すべきなのは、方式２）は方式２−１）及び方式２−２）以外の他の方式をさらに含んでもよく、例えば、少なくとも１つの時間領域リソースユニット上でＳＲＳを送信するアンテナアレイは複数のアンテナアレイを含んでもよく、複数のアンテナアレイのうちの少なくとも１つのアンテナアレイは該少なくとも１つの時間領域リソースユニット上でＳＲＳを伝送するための複数のアンテナを含み、ＳＲＳを送信する時、各アンテナはほかのアンテナに比べて、占用する時間領域リソースが異なる。
【００９０】
方式３）では、少なくとも１つの時間領域リソースユニット中で送信ビームの切り替えを行う。
【００９１】
例えば、端末装置は異なる時間領域リソースユニット中で異なるビームを用いてＳＲＳを伝送し、異なる時間領域リソースユニット上でＳＲＳを伝送するビームは端末装置自身によって決定されてもよく、ネットワーク側によって設定されてもよい。ネットワーク側は複数の時間領域リソースユニット上で異なるビームを用いて送信されるＳＲＳを受信した後、受信品質が最も高いＳＲＳ信号が位置する時間領域リソースユニットのインデックスを端末装置に通知し、それにより端末装置は後続では対応するビームを用いてほかの信号を伝送することができる。具体的に実現する時は、端末装置が異なるビームを用いてＳＲＳ信号を送信することは、端末装置又はネットワークが仮に異なる時間領域リソースユニット上で伝送するＳＲＳ間で空間パラメータにおいて準コロケーション（Ｑｕａｓｉ−ｃｏ−ｌｏｃａｔｉｏｎ、ＱＣＬ）ではないというように具現化される。
【００９２】
方式４）では、少なくとも１つの時間領域リソースユニット中で同一ビーム及び同一周波数領域リソースを用いて伝送を行う。
【００９３】
例えば、端末装置は同一のビーム及び周波数領域リソースを用いて前記複数の時間領域リソースユニット中でＳＲＳを伝送し、ネットワーク装置は異なる受信ビームを用いて複数の時間領域リソースユニット中でＳＲＳを受信でき、それにより最適な受信ビームを決定する。具体的に実現する時は、端末が同一ビームを用いてＳＲＳ信号を送信することは、端末又は基地局が仮に異なる時間領域リソースユニット上で伝送するＳＲＳ間で空間パラメータにおいて準コロケーションであるというように具現化される。
【００９４】
選択肢として、本願の実施例では、端末装置は複数のリソース利用方式から採用するリソース利用方式を選択してもよい。例えば、方式１）、方式２−１）、方式２−２）、方式３）及び方式４）から１種の方式を択一的に選択する。
【００９５】
選択肢として、本願の実施例では、端末装置はＳＲＳリソースのパラメータ設定に応じて、リソース利用方式を決定してもよい。
【００９６】
一実施形態では、ＳＲＳリソースのパラメータ設定は、少なくとも１つの時間領域リソースユニット上でＳＲＳを伝送するリソース利用方式に対するネットワーク装置の設定を含み、少なくとも１つの時間領域リソースユニット上でＳＲＳを伝送するリソース利用方式に対するネットワーク装置の設定に基づき、端末装置はリソース利用方式を決定する。
【００９７】
具体的には、前記リソース利用方式の設定情報は前記ＳＲＳリソースのほかのパラメータ設定とともに端末装置に指示されてもよく、例えば、上位層シグナリングによって端末装置に指示する。また、前記ＳＲＳリソースが非周期ＳＲＳ伝送に用いられる場合、前記リソース利用方式の設定情報は非周期ＳＲＳのトリガーシグナリングとともにダウンリンク制御情報（Ｄｏｗｎｌｉｎｋ  Ｃｏｎｔｒｏｌ  Ｉｎｆｏｒｍａｔｉｏｎ、  ＤＣＩ）によって端末装置に指示されてもよい。
【００９８】
一実施形態では、
ＳＲＳリソースの伝送帯域幅、
ＳＲＳリソース上でＳＲＳ伝送を行うアンテナポート数、
ＳＲＳリソースによって占用される少なくとも１つの時間領域リソースユニットの数、
ＳＲＳリソース上でＳＲＳを伝送する連続方式、
ＳＲＳリソースのＳＲＳ周波数ホッピング設定、
ＳＲＳリソース上でのＳＲＳ伝送によって占用されるサブキャリア間隔、
ＳＲＳリソースのＳＲＳタイプのうちの少なくとも１種の設定に基づき、端末装置はリソース利用方式を決定する。
【００９９】
選択肢として、ＳＲＳリソース上でＳＲＳを伝送する連続方式は、周期的伝送方式、準連続伝送方式又は非周期伝送方式を含む。
【０１００】
具体的には、準連続伝送はアクティブ化シグナリングによってアクティブ化され、且つ非アクティブ化シグナリングによって停止するＳＲＳ伝送であり、非周期伝送はＤＣＩによってトリガーされる有限回数のＳＲＳ伝送であり、非アクティブ化シグナリングによる停止が不要である。
【０１０１】
選択肢として、ＳＲＳリソースのＳＲＳタイプは、チャネル状態情報（ＣＳＩ）測定用のＳＲＳ、又はビーム管理用のＳＲＳである。
【０１０２】
選択肢として、該ＳＲＳタイプは送信されたＳＲＳの用途に応じて区分けしてもよく、例えば、２種のＳＲＳタイプを定義し、それぞれアップリンクのＣＳＩ測定及びアップリンクの送信／受信ビーム管理に用いてもよい。
【０１０３】
理解すべきなのは、ＳＲＳの用途に応じてＳＲＳタイプを区分けする以外に、更にほかの要素に応じてＳＲＳタイプを区分けしてもよく、本願の実施例では、特にそれを限定しない。
【０１０４】
本願をより明確に理解するために、以下、リソース利用方式を決定する具体的な実施形態をいくつか説明し、ただし、以下は単に本願の具体的な実施形態であり、本願を限定するものではない。
【０１０５】
一実施形態では、ＳＲＳリソース上でＳＲＳ伝送を行うアンテナポート数が第１所定値未満である場合、決定されたリソース利用方式は少なくとも１つの時間領域リソースユニット中で送信アンテナの切り替えを行うことであり、又は、ＳＲＳリソース上でＳＲＳ伝送を行うアンテナポート数が第２所定値以上である場合、決定されたリソース利用方式は少なくとも１つの時間領域リソースユニット中で送信アンテナの切り替えを行わないことである。
【０１０６】
一実施形態では、ＳＲＳリソースのＳＲＳ周波数ホッピング設定の値が第１値である場合、決定されたリソース利用方式は少なくとも１つの時間領域リソースユニット中で周波数領域リソースのリソース周波数ホッピングを行うことであり、又は、ＳＲＳリソースのＳＲＳ周波数ホッピング設定の値が第１値ではない場合、決定されたリソース利用方式は、
少なくとも１つの時間領域リソースユニット中で送信アンテナの切り替えを行うこと、又は、
少なくとも１つの時間領域リソースユニット中で送信ビームの切り替えを行うこと、又は、
少なくとも１つの時間領域リソースユニット中で同一ビーム及び同一周波数領域リソースを用いて伝送を行うことである。
【０１０７】
該第１値は、選択肢として、１、又は０である。
【０１０８】
一実施形態では、端末装置は前記ＳＲＳリソースの伝送帯域幅に基づき、該リソース利用方式を決定する。
【０１０９】
例えば、ＳＲＳリソースの伝送帯域幅がユーザーの所定値（例えば、ユーザーの伝送帯域幅全体）以上である場合、決定されたリソース利用方式は少なくとも１つの時間領域リソースユニット中で周波数領域リソースのリソース周波数ホッピングを行わないことを指示し、ＳＲＳリソースの伝送帯域幅が所定値未満である場合、決定されたリソース利用方式は少なくとも１つの時間領域リソースユニット中で周波数領域リソースのリソース周波数ホッピングを行うことを指示する。
【０１１０】
一実施形態では、端末は前記ＳＲＳリソース上でのＳＲＳの連続方式に基づき、該リソース利用方式を決定する。
【０１１１】
例えば、端末装置がＳＲＳを周期的伝送又は準連続伝送する時、少なくとも１つの時間領域リソースユニット中で送信ビームの切り替えを行い、少なくとも１つの時間領域リソースユニット中で同一ビーム及び同一周波数領域リソースを用いて伝送を行い、又は少なくとも１つの時間領域リソースユニット中で異なるアンテナアレイブロック間の切り替えを行うことを決定してもよく、端末装置がＳＲＳ非周期伝送を行う時、少なくとも１つの時間領域リソースユニット中で周波数領域リソースのリソース周波数ホッピングを行うことを決定してもよい。
【０１１２】
一実施形態では、端末装置は前記ＳＲＳリソース上でＳＲＳを伝送するためのサブキャリア間隔に基づき、該リソース利用方式を決定する。
【０１１３】
例えば、該サブキャリア間隔が前記時間領域リソースユニットの位置するタイムスロットのタイムスロット長さを決定するサブキャリア間隔に等しく、又は前記時間領域リソースユニットの位置するタイムスロット中でデータを伝送するサブキャリア間隔に等しい場合、少なくとも１つの時間領域リソースユニット中で周波数領域リソースのリソース周波数ホッピングを行い、又は、少なくとも１つの時間領域リソースユニット中で同一アンテナアレイブロック内の送信アンテナの切り替えを行う。
【０１１４】
例えば、前記サブキャリア間隔が前記時間領域リソースユニットの位置するタイムスロットのタイムスロット長さを決定するサブキャリア間隔、又は前記時間領域リソースユニットの位置するタイムスロット中でデータを伝送するサブキャリア間隔よりも大きい場合、少なくとも１つの時間領域リソースユニット中で異なるアンテナアレイブロック間の切り替えを行い、少なくとも１つの時間領域リソースユニット中で送信ビームの切り替えを行い、又は少なくとも１つの時間領域リソースユニット中で同一ビーム及び同一周波数領域リソースを用いて伝送を行ってもよい。
【０１１５】
一実施形態では、端末が前記ＳＲＳリソースのＳＲＳタイプに基づき伝送方式を決定する場合、ＳＲＳタイプがＣＳＩ取得用のＳＲＳであると、少なくとも１つの時間領域リソースユニット中で周波数領域リソースのリソース周波数ホッピングを行い、又は、少なくとも１つの時間領域リソースユニット中で同一アンテナアレイブロック内の送信アンテナの切り替えを行ってもよく、ＳＲＳタイプがビーム管理用のＳＲＳであると、少なくとも１つの時間領域リソースユニット中で異なるアンテナアレイブロック間の切り替えを行い、少なくとも１つの時間領域リソースユニット中で送信ビームの切り替えを行い、又は少なくとも１つの時間領域リソースユニット中で同一ビーム及び同一周波数領域リソースを用いて伝送を行ってもよい。
【０１１６】
２３０では、決定したリソース利用方式に基づき、端末装置は少なくとも１つの時間領域リソースユニット上でＳＲＳ伝送を行う。
【０１１７】
選択肢として、本願の実施例では、端末装置が少なくとも１つの時間領域リソースユニット上でＳＲＳ伝送を行った後、前記端末装置は前記ネットワーク装置によって指示される前記少なくとも１つの時間領域リソースユニットのうちのターゲット時間領域リソースユニットを受信する。
【０１１８】
具体的には、ネットワーク装置はＳＲＳの受信結果に基づき、該少なくとも１つの時間領域リソースユニットからターゲット時間領域リソースユニット（例えば、信号品質が最も高いＳＲＳをベアラする時間領域リソースユニット）を選択し、且つ端末装置に該ターゲット時間領域リソースユニットを指示し、端末装置はネットワーク装置の指示に基づき、後続のダウンリンク信号を送信する。端末装置は具体的には、該ターゲット時間領域リソースユニット上でＳＲＳを送信する送信方式に基づき、後続のダウンリンク信号を送信する。
【０１１９】
例えば、端末装置は該ターゲット時間領域リソースユニット上でＳＲＳを送信する時に採用する送信ビーム、送信電力又は送信アンテナ等を用いてネットワーク装置に後続のダウンリンク信号を送信する。
【０１２０】
従って、本願の実施例では、端末装置はＳＲＳリソース上でのＳＲＳ伝送によって占用される少なくとも１つの時間領域リソースユニットを決定し、端末装置は少なくとも１つの時間領域リソースユニット上でＳＲＳを伝送するためのリソース利用方式を決定し、決定したリソース利用方式に基づき、前記端末装置は少なくとも１つの時間領域リソースユニット上でＳＲＳ伝送を行い、それにより、端末装置は時間領域リソースユニット上でＳＲＳを伝送するためのリソース利用方式を柔軟に選択でき、それにより必要に応じて時間領域リソースユニットの機能を実現できる。
【０１２１】
図３は本願の実施例に係る無線通信方法３００の概略フローチャートである。該方法３００は以下の内容の少なくとも一部を含む。
【０１２２】
３１０では、ネットワーク装置はサウンディング参照信号（ＳＲＳ）リソース上でＳＲＳ受信を行う少なくとも１つの時間領域リソースユニットを決定する。
【０１２３】
選択肢として、時間領域リソースユニットはＯＦＤＭシンボル、タイムスロット、ミニタイムスロット又はサブフレームである。
【０１２４】
３２０では、ネットワーク装置は端末装置が少なくとも１つの時間領域リソースユニット中でＳＲＳを伝送するためのリソース利用方式を決定する。
【０１２５】
選択肢として、リソース利用方式は、端末装置が少なくとも１つの時間領域リソースユニット上でＳＲＳ伝送を行う時に周波数領域リソース、送信アンテナ及び／又は送信ビームを利用する方式である。
【０１２６】
選択肢として、周波数領域リソース、アンテナ及び／又は送信ビームを利用する方式は、周波数領域リソース、送信アンテナ及び送信ビームのうちの少なくとも１つの少なくとも１つの時間領域リソースユニット中での切り替え方式を含む。
【０１２７】
選択肢として、周波数領域リソース、アンテナ及び／又は送信ビームを利用する方式は、周波数領域リソース、送信アンテナ及び送信ビームのうちの少なくとも１つを少なくとも１つの時間領域リソースユニット上で切り替えるか否かを指示する。
【０１２８】
選択肢として、リソース利用方式は、
少なくとも１つの時間領域リソースユニット中で周波数領域リソースのリソース周波数ホッピングを行うこと、又は、
少なくとも１つの時間領域リソースユニット中で送信アンテナの切り替えを行うこと、又は、
少なくとも１つの時間領域リソースユニット中で送信ビームの切り替えを行うこと、又は、
少なくとも１つの時間領域リソースユニット中で同一ビーム及び同一周波数領域リソースを用いて伝送を行うことを含む。
【０１２９】
選択肢として、少なくとも１つの時間領域リソースユニット中で送信アンテナの切り替えを行うことは、
少なくとも１つの時間領域リソースユニット中で同一アンテナアレイブロック内の送信アンテナの切り替えを行うステップ、又は
少なくとも１つの時間領域リソースユニット中で異なるアンテナアレイブロック間の切り替えを行うステップを含む。
【０１３０】
選択肢として、ＳＲＳリソースのパラメータ設定に基づき、ネットワーク装置はリソース利用方式を決定する。
【０１３１】
一実施形態では、ＳＲＳリソースのパラメータ設定は、少なくとも１つの時間領域リソースユニット上でＳＲＳを伝送するリソース利用方式に対するネットワーク装置の設定を含み、少なくとも１つの時間領域リソースユニット上でＳＲＳを伝送するリソース利用方式に対するネットワーク装置の設定に基づき、ネットワーク装置はリソース利用方式を決定する。
【０１３２】
一実施形態では、ＳＲＳリソースの伝送帯域幅、
ＳＲＳリソース上でＳＲＳ伝送を行うアンテナポート数、
ＳＲＳリソースによって占用される少なくとも１つの時間領域リソースユニットの数、
ＳＲＳリソース上でＳＲＳを伝送する連続方式、
ＳＲＳリソースのＳＲＳ周波数ホッピング設定、
ＳＲＳリソース上でのＳＲＳ伝送によって占用されるサブキャリア間隔、
ＳＲＳリソースのＳＲＳタイプのうちの少なくとも１種の設定に基づき、ネットワーク装置はリソース利用方式を決定する。
【０１３３】
選択肢として、ＳＲＳリソース上でＳＲＳを伝送する連続方式は、周期的伝送方式、準連続伝送方式又は非周期伝送方式を含む。
【０１３４】
選択肢として、ＳＲＳリソースのＳＲＳタイプは、チャネル状態情報（ＣＳＩ）測定用のＳＲＳ、又はビーム管理用のＳＲＳである。
【０１３５】
選択肢として、ＳＲＳリソース上でＳＲＳ伝送を行うアンテナポート数が第１所定値未満である場合、決定されたリソース利用方式は少なくとも１つの時間領域リソースユニット中で送信アンテナの切り替えを行うことであり、又はＳＲＳリソース上でＳＲＳ伝送を行うアンテナポート数が第２所定値以上である場合、決定されたリソース利用方式は少なくとも１つの時間領域リソースユニット中で送信アンテナの切り替えを行わないことである。
【０１３６】
選択肢として、ＳＲＳリソースのＳＲＳ周波数ホッピング設定の値が第１値である場合、決定されたリソース利用方式は少なくとも１つの時間領域リソースユニット中で周波数領域リソースのリソース周波数ホッピングを行うことであり、又は
ＳＲＳリソースのＳＲＳ周波数ホッピング設定の値が第１値ではない場合、決定されたリソース利用方式は、
少なくとも１つの時間領域リソースユニット中で送信アンテナの切り替えを行うこと、又は、
少なくとも１つの時間領域リソースユニット中で送信ビームの切り替えを行うこと、又は、
少なくとも１つの時間領域リソースユニット中で同一ビーム及び同一周波数領域リソースを用いて伝送を行うことである。
【０１３７】
３３０では、決定したリソース利用方式に基づき、ネットワーク装置は端末装置から伝送されるＳＲＳを少なくとも１つの時間領域リソースユニット上で受信する。
【０１３８】
選択肢として、本願の実施例では、前記ネットワーク装置が前記端末装置から伝送されるＳＲＳを前記少なくとも１つの時間領域リソースユニット上で受信した後、ＳＲＳの受信結果に基づき、前記ネットワーク装置は前記端末装置に前記少なくとも１つの時間領域リソースユニットのうちのターゲット時間領域リソースユニットを指示する。
【０１３９】
理解すべきなのは、図３に示される方法３００の具体的な実施形態は方法２００に関連する実施形態を参照でき、例えば、ネットワーク装置がリソース利用方式を決定する実施形態は端末装置がリソース利用方式を決定する実施形態を参照でき、簡潔にするために、ここで詳細説明を省略する。
【０１４０】
図４は本願の実施例に係る端末装置４００の概略ブロック図である。図４に示すように、該端末装置４００は処理ユニット４１０及び通信ユニット４２０を備えてもよい。
【０１４１】
前記処理ユニット４１０は、サウンディング参照信号（ＳＲＳ）リソース上でのＳＲＳ伝送によって占用される少なくとも１つの時間領域リソースユニットを決定することと、前記少なくとも１つの時間領域リソースユニット上でＳＲＳを伝送するためのリソース利用方式を決定することとに用いられ、
前記通信ユニット４２０は、前記処理ユニットによって決定された前記リソース利用方式に基づき、前記少なくとも１つの時間領域リソースユニット上でＳＲＳ伝送を行うことに用いられる。
【０１４２】
理解すべきなのは、該端末装置４００は方法２００中の端末装置に対応でき、該方法２００中の端末装置によって実現される相応な操作を実現でき、簡潔にするために、ここで詳細説明を省略する。
【０１４３】
図５は本願の実施例に係るネットワーク装置５００の概略ブロック図である。図５に示すように、該ネットワーク装置５００は処理ユニット５１０及び通信ユニット５２０を備えてもよい。
【０１４４】
前記処理ユニット５１０は、サウンディング参照信号（ＳＲＳ）リソース上でＳＲＳ受信を行う少なくとも１つの時間領域リソースユニットを決定することと、前記端末装置が前記少なくとも１つの時間領域リソースユニット中でＳＲＳを伝送するためのリソース利用方式を決定することとに用いられ、
前記通信ユニット５２０は、前記処理ユニット５１０により決定された前記リソース利用方式に基づき、前記端末装置から伝送されるＳＲＳを前記少なくとも１つの時間領域リソースユニット上で受信することに用いられる。
【０１４５】
理解すべきなのは、該ネットワーク装置５００は方法３００中のネットワーク装置に対応でき、該方法３００中のネットワーク装置によって実現される相応な操作を実現でき、簡潔にするために、ここで詳細説明を省略する。
【０１４６】
図６は本願の実施例に係るシステムチップ６００の概略構造図である。図６中のシステムチップ６００は内部通信接続配線を介して接続される入力インタフェース６０１、出力インタフェース６０２、プロセッサ６０３及びメモリ６０４を備え、前記プロセッサ６０３は前記メモリ６０４中のコードを実行することに用いられる。
【０１４７】
選択肢として、前記コードが実行されると、前記プロセッサ６０３は方法の実施例中のネットワーク装置によって実行される方法を実現する。簡潔にするために、ここで詳細説明を省略する。
【０１４８】
選択肢として、前記コードが実行されると、前記プロセッサ６０３は方法の実施例中の端末装置によって実行される方法を実現する。簡潔にするために、ここで詳細説明を省略する。
【０１４９】
図７は本願の実施例に係る通信装置７００の概略ブロック図である。図７に示すように、該通信装置７００はプロセッサ７１０及びメモリ７２０を備える。該メモリ７２０にはプログラムコードが記憶され、該プロセッサ７１０は該メモリ７２０に記憶されたプログラムコードを実行する。
【０１５０】
選択肢として、図７に示すように、該通信装置７００は送受信機７３０を備え、プロセッサ７１０は送受信機７３０が外部と通信するのを制御する。
【０１５１】
選択肢として、該プロセッサ７１０はメモリ７２０に記憶されたプログラムコードを呼び出して、方法の実施例中のネットワーク装置に対応する操作を実行し、簡潔にするために、ここで詳細説明を省略する。
【０１５２】
選択肢として、該プロセッサ７１０はメモリ７２０に記憶されたプログラムコードを呼び出して、方法の実施例中の端末装置に対応する操作を実行し、簡潔にするために、ここで詳細説明を省略する。
【０１５３】
理解すべきなのは、本願の実施例に係るプロセッサは、信号処理能力を有する集積回路チップでありうる。実現の過程において、上記方法の実施例の各ステップはプロセッサのハードウェアの集積論理回路又はソフトウェアの形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、ディスクリートゲート又はトランジスタロジック装置、ディスクリートハードウェアユニットであってもよい。本願の実施例に開示されている各方法、ステップ及び論理ブロック図を実現又は実行できる。汎用プロセッサはマイクロプロセッサであってもよく、または該プロセッサは任意の通常のプロセッサ等であってもよい。本願の実施例に開示されている方法のステップは直接ハードウェアデコードプロセッサによって実行され、又はデコードプロセッサのハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に位置してもよい。該記憶媒体はメモリに位置し、プロセッサはメモリにおける情報を読み取り、そのハードウェアと組み合わせて上記方法のステップを行う。
【０１５４】
理解できるのは、本願の実施例のメモリは揮発性メモリ又は不揮発性メモリであってもよく、又は揮発性メモリと不揮発性メモリの両者を含んでもよい。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭが使用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）が挙げられる。注意すべきなのは、本明細書に記載のシステム及び方法のメモリはこれら及び任意の適切なタイプのメモリを含むが、それらに限定されない。
【０１５５】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかそれともソフトウェアで実行するかは、技術案の特定の応用及び設計制約条件に応じて決められる。当業者は説明された機能を各特定の応用に応じて異なる方法で実現できるが、そのような実現は本願の範囲を超えると見なされるべきではない。
【０１５６】
当業者であれば、説明の便宜及び簡潔上、上記説明したシステム、装置及びユニットの具体的な動作プロセスは、前述した方法の実施例の対応するプロセスを参照すればよいと理解できるため、ここで詳細説明を省略する。
【０１５７】
本願により提供されるいくつかの実施例では、開示されているシステム、装置及び方法は、ほかの形態で実現できると理解すべきである。例えば、以上説明された装置の実施例は単に例示的なものであり、例えば、該ユニットの分割は、単に１種のロジック機能分割であり、実際の実装では別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態であってもよい。
【０１５８】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じてその一部又はすべてのユニットを選択して本実施例の技術案の目的を実現することができる。
【０１５９】
また、本願の実施例の各々における各機能ユニットは１つの処理ユニットに集積されてもよく、別々に物理的に存在してもよく、２つ又は２つ以上のユニットが１つのユニットに集積されてもよい。
【０１６０】
前記機能はソフトウェア機能ユニットの形態で実現され、且つ独立した製品として販売又は使用される場合、コンピュータ可読記憶媒体に記憶されてもよい。このような理解に基づき、本願の技術案は本質的に又は従来技術に貢献する部分又は該技術案の一部はソフトウェア製品の形態で具現化されてもよく、該コンピュータソフトウェア製品は記憶媒体に記憶され、コンピュータ装置（パーソナルコンピュータ、サーバ、又はネットワーク装置等）に本願の実施例の各々に係る方法の全て又は一部のステップを実行させるための若干の命令を含む。上記記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどプロクラムコードを記憶可能な種々の媒体を含む。
【０１６１】
以上、本願の具体的な実施形態を説明したが、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2020530672.tif 000003
【図２】
2020530672.tif 000004
【図３】
2020530672.tif 000005
【図４】
2020530672.tif 000006
【図５】
2020530672.tif 000007
【図６】
2020530672.tif 000008
【図７】
2020530672.tif 000009
【手続補正書】
【提出日】令和2年6月17日(2020.6.17)
【手続補正１】
【補正対象書類名】明細書
【補正対象項目名】０００８
【補正方法】変更
【補正の内容】
【０００８】
第１態様又は上記いずれかの可能な実施形態を参照して、第１態様の別の可能な実施形態では、前記周波数領域リソース、送信アンテナ及び／又は送信ビームを利用する方式は、周波数領域リソース、送信アンテナ及び送信ビームのうちの少なくとも１つの、前記少なくとも１つの時間領域リソースユニットでの切り替え方式を含む。
【手続補正２】
【補正対象書類名】明細書
【補正対象項目名】０００９
【補正方法】変更
【補正の内容】
【０００９】
第１態様又は上記いずれかの可能な実施形態を参照して、第１態様の別の可能な実施形態では、前記周波数領域リソース、送信アンテナ及び／又は送信ビームを利用する方式は、周波数領域リソース、送信アンテナ及び送信ビームのうちの少なくとも１つが前記少なくとも１つの時間領域リソースユニット上で切り替えるか否かを指示する。
【手続補正３】
【補正対象書類名】明細書
【補正対象項目名】００２３
【補正方法】変更
【補正の内容】
【００２３】
第２態様又は上記いずれかの可能な実施形態を参照して、第２態様の別の可能な実施形態では、前記周波数領域リソース、送信アンテナ及び／又は送信ビームを利用する方式は、
周波数領域リソース、送信アンテナ及び送信ビームのうちの少なくとも１つの前記少なくとも１つの時間領域リソースユニットでの切り替え方式を含む。
【手続補正４】
【補正対象書類名】明細書
【補正対象項目名】００２４
【補正方法】変更
【補正の内容】
【００２４】
第２態様又は上記いずれかの可能な実施形態を参照して、第２態様の別の可能な実施形態では、前記周波数領域リソース、送信アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示する。
【手続補正５】
【補正対象書類名】明細書
【補正対象項目名】００６８
【補正方法】変更
【補正の内容】
【００６８】
選択肢として、周波数領域リソース、送信アンテナ及び／又は送信ビームを利用する方式は、
周波数領域リソース、送信アンテナ及び送信ビームのうちの少なくとも１つの少なくとも１つの時間領域リソースユニット中での切り替え方式を含む。
【手続補正６】
【補正対象書類名】明細書
【補正対象項目名】００７９
【補正方法】変更
【補正の内容】
【００７９】
選択肢として、周波数領域リソース、送信アンテナ及び／又は送信ビームを利用する方式は、
周波数領域リソース、送信アンテナ及び送信ビームのうちの少なくとも１つを少なくとも１つの時間領域リソースユニット上で切り替えるか否かを指示する。
【手続補正７】
【補正対象書類名】明細書
【補正対象項目名】０１１８
【補正方法】変更
【補正の内容】
【０１１８】
具体的には、ネットワーク装置はＳＲＳの受信結果に基づき、該少なくとも１つの時間領域リソースユニットからターゲット時間領域リソースユニット（例えば、信号品質が最も高いＳＲＳをベアラする時間領域リソースユニット）を選択し、且つ端末装置に該ターゲット時間領域リソースユニットを指示し、端末装置はネットワーク装置の指示に基づき、後続のアップリンク信号を送信する。端末装置は具体的には、該ターゲット時間領域リソースユニット上でＳＲＳを送信する送信方式に基づき、後続のアップリンク信号を送信する。
【手続補正８】
【補正対象書類名】明細書
【補正対象項目名】０１１９
【補正方法】変更
【補正の内容】
【０１１９】
例えば、端末装置は該ターゲット時間領域リソースユニット上でＳＲＳを送信する時に採用する送信ビーム、送信電力又は送信アンテナ等を用いてネットワーク装置に後続のアップリンク信号を送信する。
【手続補正９】
【補正対象書類名】明細書
【補正対象項目名】０１２６
【補正方法】変更
【補正の内容】
【０１２６】
選択肢として、周波数領域リソース、送信アンテナ及び／又は送信ビームを利用する方式は、周波数領域リソース、送信アンテナ及び送信ビームのうちの少なくとも１つの少なくとも１つの時間領域リソースユニット中での切り替え方式を含む。
【手続補正１０】
【補正対象書類名】明細書
【補正対象項目名】０１２７
【補正方法】変更
【補正の内容】
【０１２７】
選択肢として、周波数領域リソース、送信アンテナ及び／又は送信ビームを利用する方式は、周波数領域リソース、送信アンテナ及び送信ビームのうちの少なくとも１つを少なくとも１つの時間領域リソースユニット上で切り替えるか否かを指示する。
【手続補正１１】
【補正対象書類名】特許請求の範囲
【補正対象項目名】全文
【補正方法】変更
【補正の内容】
【特許請求の範囲】
【請求項１】
無線通信方法であって、
端末装置がサウンディング参照信号（ＳＲＳ）リソース上でのＳＲＳ伝送によって占用される少なくとも１つの時間領域リソースユニットを決定するステップと、
前記端末装置が前記少なくとも１つの時間領域リソースユニット上でＳＲＳを伝送するためのリソース利用方式を決定するステップと、
決定した前記リソース利用方式に基づき、前記端末装置が前記少なくとも１つの時間領域リソースユニット上でＳＲＳ伝送を行うステップと、を含むことを特徴とする無線通信方法。
【請求項２】
前記リソース利用方式は、前記端末装置が前記少なくとも１つの時間領域リソースユニット上でＳＲＳ伝送を行う時、周波数領域リソース、送信アンテナ及び／又は送信ビームを利用する方式であることを特徴とする請求項１に記載の方法。
【請求項３】
前記周波数領域リソース、送信アンテナ及び／又は送信ビームを利用する方式は、
周波数領域リソース、送信アンテナ及び送信ビームのうちの少なくとも１つの前記少なくとも１つの時間領域リソースユニットでの切り替え方式を含むことを特徴とする請求項２に記載の方法。
【請求項４】
前記周波数領域リソース、送信アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示することを特徴とする請求項２に記載の方法。
【請求項５】
前記リソース利用方式は、
前記少なくとも１つの時間領域リソースユニット中で周波数領域リソースのリソース周波数ホッピングを行うこと、又は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することを含むことを特徴とする請求項１又は２に記載の方法。
【請求項６】
前記少なくとも１つの時間領域リソースユニット中で送信アンテナの切り替えを行うことは、
前記少なくとも１つの時間領域リソースユニット中で同一アンテナアレイブロック内の送信アンテナの切り替えを行うステップ、又は
前記少なくとも１つの時間領域リソースユニット中で異なるアンテナアレイブロック間の切り替えを行うステップを含むことを特徴とする請求項５に記載の方法。
【請求項７】
前記端末装置が前記少なくとも１つの時間領域リソースユニット中でＳＲＳを伝送するためのリソース利用方式を決定することは、
前記ＳＲＳリソースのパラメータ設定に基づき、前記端末装置が前記リソース利用方式を決定するステップを含むことを特徴とする請求項１〜６のいずれか一項に記載の方法。
【請求項８】
前記ＳＲＳリソースのパラメータ設定は前記少なくとも１つの時間領域リソースユニット上でＳＲＳを伝送するリソース利用方式に対する前記ネットワーク装置の設定を含み、
前記ＳＲＳリソースのパラメータ設定に基づき、前記端末装置が前記リソース利用方式を決定することは、
前記少なくとも１つの時間領域リソースユニット上でＳＲＳを伝送するリソース利用方式に対する前記ネットワーク装置の設定に基づき、前記端末装置が前記リソース利用方式を決定するステップを含むことを特徴とする請求項７に記載の方法。
【請求項９】
前記ＳＲＳリソースのパラメータ設定に基づき、前記端末装置が前記リソース利用方式を決定することは、
前記ＳＲＳリソースの伝送帯域幅、
前記ＳＲＳリソース上でＳＲＳ伝送を行うアンテナポート数、
前記ＳＲＳリソースによって占用される前記少なくとも１つの時間領域リソースユニットの数、
前記ＳＲＳリソース上でＳＲＳを伝送する連続方式、
前記ＳＲＳリソースのＳＲＳ周波数ホッピング設定、
前記ＳＲＳリソース上でのＳＲＳ伝送によって占用されるサブキャリア間隔、
前記ＳＲＳリソースのＳＲＳタイプのうちの少なくとも１種の設定に基づき、前記端末装置が前記リソース利用方式を決定するステップを含むことを特徴とする請求項７に記載の方法。
【請求項１０】
前記時間領域リソースユニットは直交周波数分割多重（ＯＦＤＭ）シンボル、タイムスロット、ミニタイムスロット又はサブフレームであることを特徴とする請求項１〜９のいずれか一項に記載の方法。
【請求項１１】
無線通信方法であって、
ネットワーク装置がサウンディング参照信号（ＳＲＳ）リソース上でＳＲＳ受信を行う少なくとも１つの時間領域リソースユニットを決定するステップと、
前記ネットワーク装置が前記端末装置が前記少なくとも１つの時間領域リソースユニット中でＳＲＳを伝送するためのリソース利用方式を決定するステップと、
決定した前記リソース利用方式に基づき、前記ネットワーク装置が前記端末装置から伝送されるＳＲＳを前記少なくとも１つの時間領域リソースユニット上で受信するステップと、を含むことを特徴とする無線通信方法。
【請求項１２】
前記リソース利用方式は、前記端末装置が前記少なくとも１つの時間領域リソースユニット上でＳＲＳ伝送を行う時、周波数領域リソース、送信アンテナ及び／又は送信ビームを利用する方式であることを特徴とする請求項１１に記載の方法。
【請求項１３】
前記周波数領域リソース、送信アンテナ及び／又は送信ビームを利用する方式は、
周波数領域リソース、送信アンテナ及び送信ビームのうちの少なくとも１つが前記少なくとも１つの時間領域リソースユニット上で切り替えるか否かを指示することを特徴とする請求項１２に記載の方法。
【請求項１４】
前記リソース利用方式は、
前記少なくとも１つの時間領域リソースユニット中で周波数領域リソースのリソース周波数ホッピングを行うこと、又は、
前記少なくとも１つの時間領域リソースユニット中で送信アンテナの切り替えを行うこと、又は、
前記少なくとも１つの時間領域リソースユニット中で送信ビームの切り替えを行うこと、又は、
前記少なくとも１つの時間領域リソースユニット中で同一ビーム及び同一周波数領域リソースを用いて伝送することを含むことを特徴とする請求項１１又は１２に記載の方法。
【請求項１５】
端末装置であって、処理ユニット及び通信ユニットを備え、
前記処理ユニットは、サウンディング参照信号（ＳＲＳ）リソース上でのＳＲＳ伝送によって占用される少なくとも１つの時間領域リソースユニットを決定し、前記少なくとも１つの時間領域リソースユニット上でＳＲＳを伝送するためのリソース利用方式を決定することに用いられ、
前記通信ユニットは、前記処理ユニットによって決定された前記リソース利用方式に基づき、前記少なくとも１つの時間領域リソースユニット上でＳＲＳ伝送を行うことに用いられることを特徴とする端末装置。
【請求項１６】
ネットワーク装置であって、処理ユニット及び通信ユニットを備え、
前記処理ユニットは、サウンディング参照信号（ＳＲＳ）リソース上でＳＲＳ受信を行う少なくとも１つの時間領域リソースユニットを決定し、前記端末装置が前記少なくとも１つの時間領域リソースユニット中でＳＲＳを伝送するためのリソース利用方式を決定することに用いられ、
前記通信ユニットは、前記処理ユニットによって決定された前記リソース利用方式に基づき、前記端末装置から伝送されるＳＲＳを前記少なくとも１つの時間領域リソースユニット上で受信することに用いられることを特徴とするネットワーク装置。
【国際調査報告】
2020530672.tif 000010
2020530672.tif 000011
2020530672.tif 000012
2020530672.tif 000013